(57)【要約】【課題】貯蔵室の温度を複数の温度帯に設定可能な冷蔵庫において、設定した温度帯で貯蔵室内を均一に保ちつつ温度変動を抑える。【解決手段】圧縮機３９と冷却器３４と圧縮機３９から圧送された冷媒を冷却器３４へ流す高温側冷媒流路とを有する冷凍サイクル４１と、冷却器３４で冷却された冷気が供給される貯蔵室１６を有する断熱箱体２とを備え、高温側冷媒流路は、貯蔵室１６の内壁に沿って設けられ貯蔵室１６内を加熱する第１加熱パイプ５８と、第１加熱パイプ５８を迂回する第１迂回パイプ４３Ａと、第１加熱パイプ５８と第１迂回パイプ４３Ａとに切り替えて冷媒を流す切替弁５９とを備える。【選択図】        図３
2018096662.tif 000002
【特許請求の範囲】
【請求項１】
圧縮機と冷却器と前記圧縮機から圧送された冷媒を前記冷却器へ流す高温側冷媒流路とを有する冷凍サイクルと、前記冷却器で冷却された冷気が供給される貯蔵室を有する断熱箱体とを備えた冷蔵庫において、
前記高温側冷媒流路は、前記貯蔵室の内壁に沿って設けられ前記貯蔵室内を加熱する第１加熱パイプと、前記第１加熱パイプを迂回する第１迂回パイプと、前記第１加熱パイプと前記第１迂回パイプとに切り替えて冷媒を流す切替弁とを備える冷蔵庫。
【請求項２】
前記高温側冷媒流路は、前記第１加熱パイプ及び前記第１迂回パイプの下流側に、前記貯蔵室の内壁に沿って設けられ前記貯蔵室内を加熱する第２加熱パイプと、前記第２加熱パイプを迂回する第２迂回パイプと、前記第２加熱パイプと前記第２迂回パイプとに切り替えて冷媒を流す第２切替弁とを備える請求項１に記載の冷蔵庫。
【請求項３】
前記貯蔵室の内壁に沿って設けられ通電することにより前記貯蔵室内を加熱するヒータを備える請求項１又は２に記載の冷蔵庫。
【請求項４】
前記第１切替弁と前記ヒータとを制御して、前記貯蔵室内の温度を異なる温度帯に切替制御する制御部を備え、
前記制御部は、前記貯蔵室内の温度を所定温度以下にする場合、前記ヒータの通電を停止しつつ前記第１加熱パイプに冷媒が流れるように前記第１切替弁を制御し、前記貯蔵室内の温度を前記所定温度より高い温度にする場合、前記ヒータを通電しつつ前記第１加熱パイプに冷媒が流れるように前記第１切替弁を制御する請求項３に記載の冷蔵庫。
【請求項５】
冷蔵庫の設置雰囲気の温度を検出する温度センサを備え、
前記温度センサの検出値に基づいて前記第１切替弁を制御する請求項１〜４のいずれか1項に記載の冷蔵庫。
【請求項６】
前記貯蔵室を区画する仕切壁に断熱材が設けられている請求項１〜５のいずれか１項に記載の冷蔵庫。
【発明の詳細な説明】
【技術分野】
【０００１】
本発明の実施形態は、冷蔵庫に関するものである。
【背景技術】
【０００２】
従前より、貯蔵温度を複数の温度帯に設定可能な温度切替室を備えた冷蔵庫が知られている（例えば、下記特許文献１参照）。この冷蔵庫では、温度切替室の温度が、設定した温度帯より高ければ、冷凍サイクルの冷却器で生成した冷気を温度切替室に供給し、設定した温度帯より低ければ、ダンパ装置で冷気の供給を停止しヒータ装置を通電することで、幅広い温度範囲で温度切替室の温度帯を切替可能に制御するようになっている。しかしながら、上記構成の冷蔵庫では、ヒータ通電量が大きくなりやすく電力消費量を増加させる問題がある。
【先行技術文献】
【特許文献】
【０００３】
【特許文献１】特開平１０−２８８４４０号公報
【発明の概要】
【発明が解決しようとする課題】
【０００４】
そこで、電力消費量を抑えつつ貯蔵室の温度を複数の温度帯に設定可能な冷蔵庫を提供することを目的とする。
【課題を解決するための手段】
【０００５】
本実施形態の冷蔵庫は、圧縮機と冷却器と前記圧縮機から圧送された冷媒を前記冷却器へ流す高温側冷媒流路とを有する冷凍サイクルと、前記冷却器で冷却された冷気が供給される貯蔵室を有する断熱箱体とを備えた冷蔵庫において、前記高温側冷媒流路は、前記貯蔵室の内壁に沿って設けられ前記貯蔵室内を加熱する第１加熱パイプと、前記第１加熱パイプを迂回する第１迂回パイプと、前記第１加熱パイプと前記第１迂回パイプとに切り替えて冷媒を流す切替弁とを備えるものである。
【図面の簡単な説明】
【０００６】
【図１】本発明の第１実施形態に係る冷蔵庫の断面図である。
【図２】図１のＡ−Ａ断面図である。
【図３】図１の冷蔵庫の冷凍サイクルを示す図である。
【図４】図２のＢ−Ｂ断面図である。
【図５】図１に示す冷蔵庫の電気構成を示すブロック図である。
【図６】第２実施形態に係る冷蔵庫の冷凍サイクルを示す図である。
【発明を実施するための形態】
【０００７】
（第１実施形態）
以下、図面に基づいて本発明の一実施形態について説明する。
【０００８】
本実施形態に係る冷蔵庫１は、図１に示すように、前面に開口する断熱箱体２を備える。断熱箱体２は、鋼板製の外箱３と合成樹脂製の内箱４との間に形成された断熱空間５に真空断熱材や発泡断熱材等の断熱材を有して構成されている。断熱箱体２は内箱４の内側に複数の貯蔵空間が設けられており、貯蔵空間が断熱仕切壁６によって上下に区画されている。
【０００９】
断熱仕切壁６の上方の空間は、冷蔵温度帯（例えば、１〜４℃）に冷却される貯蔵室であり、内部がさらに仕切壁７によって上下に区画されている。仕切壁７の上方には複数段の載置棚を設けた冷蔵室１０が設けられ、仕切壁７の下方には野菜室１２が設けられている。冷蔵室１０の背面には、冷蔵室１０内の温度を測定する冷蔵温度センサ２５が設けられている。
【００１０】
冷蔵室１０の前面開口部には、断熱材を備えた回動式の冷蔵室扉１１が設けられている。冷蔵室扉１１の前面にはこの冷蔵庫１を操作するための操作パネル８が配されている。操作パネル８は、不図示の操作スイッチを操作することで、各貯蔵空間の冷却強度を切り替えて設定したり、後述する温度切替室１６の温度帯を設定する。
【００１１】
野菜室１２の前面開口部は、断熱材を備えた引出し式の野菜室扉１３により閉塞されている。野菜室扉１３の庫内側には、貯蔵容器１４を保持する左右一対の支持枠が固着されており、開扉動作とともに貯蔵容器１４が庫外に引き出されるように構成されている。
【００１２】
断熱仕切壁６の下方の空間には、図２に示すように、自動製氷機を備えた製氷室１５と温度切替室１６とが断熱仕切壁２２を介して左右に併設され、その下方に断熱仕切壁２３を介して冷凍室１７が設けられている。
【００１３】
製氷室１５及び冷凍室１７は、いずれも冷凍温度帯（例えば、−１７℃以下）に冷却される。冷凍室１７の背面には、冷凍室１７内の温度を測定するための冷凍温度センサ２６が設けられている。
【００１４】
温度切替室１６は、断熱仕切壁６、２２、２３によって、冷蔵温度帯に冷却される野菜室１２と、冷凍温度帯に冷却される製氷室１５及び冷凍室１７と、断熱区画されている。温度切替室１６の背面には、温度切替室１６内の温度を測定するための切替室温度センサ２７が設けられている。
【００１５】
製氷室１５、温度切替室１６、及び冷凍室１７の開口部は、野菜室１２と同様、断熱材を備えた引き出し式の扉１８，１９により閉塞され、各扉１８，１９の裏面側に固着した左右一対の支持枠に貯蔵容器２０、２１、２９が保持されており、開扉動作とともに該貯蔵容器２０，２１、２９が庫外に引き出されるように構成されている。
【００１６】
冷蔵室１０及び野菜室１２の後部には、エバカバー５０で前後に仕切られた冷蔵冷却器室３２と、冷蔵室１０と冷蔵冷却器室３２とを連結するダクト３３が形成されている。冷蔵冷却器室３２には、冷蔵冷却器３０及び冷蔵ファン３１が収納されており、冷蔵冷却器３０で冷却した冷蔵冷却器室３２の空気が冷蔵ファン３１によってダクト３３を介して冷蔵室１０へ供給される。
【００１７】
また、製氷室１５、温度切替室１６、及び冷凍室１７の後部には、断熱材を備えたエバカバー５１で前後に仕切られた冷凍冷却器室３６と、製氷室１５、温度切替室１６、及び冷凍室１７と冷凍冷却器室３６とを連結するダクト３７とが形成されている。
【００１８】
冷凍冷却器室３６には、冷凍冷却器３４及び冷凍ファン３５が収納されており、冷凍冷却器３４が冷却した冷凍冷却器室３６の空気を冷凍ファン３５によってダクト３７を介して製氷室１５、温度切替室１６、及び冷凍室１７へ供給する。
【００１９】
冷蔵冷却器３０及び冷凍冷却器３４は、断熱箱体２の背面下部に設けられた機械室３８内に収納された圧縮機３９や凝縮器４２とともに冷凍サイクル４１を構成する。
【００２０】
冷凍サイクル４１は、図３に示すように、高温高圧のガス状の冷媒を吐出する圧縮機３９の吐出側から順番に、蒸発パイプ４０、凝縮器４２、放熱パイプ４３、防露パイプ４４、ドライヤ４５、および三方弁４６の入口側が接続されている。
【００２１】
放熱パイプ４３および防露パイプ４４は、凝縮器４２の出口側と三方弁４６の入口側との間に設けられた冷媒パイプであり、冷蔵キャピラリチューブ４７や冷凍キャピラリチューブ５４で冷媒が減圧される前の液体冷媒が流通する高温側の冷媒流路の一部を構成する。放熱パイプ４３および防露パイプ４４は、機械室３８から外箱３を貫通して断熱空間５内に進入した後、外箱３と接触するように断熱箱体２の断熱空間５内に埋設されている。
【００２２】
この例では、放熱パイプ４３は、冷媒流れ方向上流側（圧縮機側）から順に、断熱箱体２の左側壁に設けられた左放熱パイプ４３Ａ、断熱箱体２の天井壁に設けられた天井放熱パイプ４３Ｂ、断熱箱体２の背壁に設けられた背板放熱パイプ４３Ｃ、及び断熱箱体２の右側壁に設けられた右放熱パイプ４３Ｄを直列に接続して構成されている。放熱パイプ４３を構成する左放熱パイプ４３Ａ、天井放熱パイプ４３Ｂ、背板放熱パイプ４３Ｃ、及び右放熱パイプ４３Ｄの端部は、断熱箱体２より機械室３８へ引き出され、機械室３８において互いに接続されている。
【００２３】
また、凝縮器４２と天井放熱パイプ４３Ｂの間には、上記した左放熱パイプ４３Ａに加え、第１加熱パイプ５８と第１切替弁５９とが設けられている。
【００２４】
第１加熱パイプ５８は、左放熱パイプ４３Ａと並列に設けられた冷媒パイプからなり、図２及び図４に示すように、温度切替室１６の下面を構成する断熱仕切壁２３の上面側に沿わせて設けられている。
【００２５】
第１切替弁５９は、機械室３８に設けられた三方弁からなる。第１切替弁５９は、入口側が凝縮器４２に接続され、出口側に左放熱パイプ４３Ａ及び加熱パイプ５８が接続されている。
【００２６】
第１切替弁５９は、機械室３８に設けられた三方弁からなり、入口側が凝縮器４２に接続され、出口側に左放熱パイプ４３Ａ及び第１加熱パイプ５８が接続されている。この第１切替弁５９は、凝縮器４２を流れた直後の冷媒を第１加熱パイプ５８と左放熱パイプ４３Ａとに切り替えて流す。これにより、高温の冷媒が、第１加熱パイプ５８に流れて温度切替室１６内を加熱したり、第１加熱パイプ５８を迂回して左放熱パイプ４３Ａに流れることで断熱箱体２の左側壁を加熱したりする。
【００２７】
つまり、この実施形態では、左放熱パイプ４３Ａが第１加熱パイプ５８を迂回する迂回パイプとして機能するようになっている。
【００２８】
防露パイプ４４は、右放熱パイプ４３Ｄの冷媒流れ方向下流側に連結された冷媒パイプであり、断熱箱体２に設けられた各貯蔵室１０，１２、１５、１６、１７の前面開口部の周縁部に配設され、その凝縮熱により扉周囲の露付きを抑制する。この例では、防露パイプ４４は、断熱箱体２の最下段に位置する冷凍室１７から、製氷室１５、温度切替室１６、野菜室１２、冷蔵室１０の前面開口部の周囲に順次配設される。そして、冷蔵室１０の前面開口部に配設された防露パイプ４４の下流側は、機械室３８に進入し、ドライヤ４５及び三方弁４６の入口側に順に接続されている。
【００２９】
三方弁４６の一方の出口には、減圧手段としての冷蔵キャピラリチューブ４７、冷蔵冷却器３０、冷蔵アキュムレータ４８および冷蔵サクションパイプ４９が、配管により順に接続されている。三方弁４６の他方の出口には、減圧手段としての冷凍キャピラリチューブ５４、冷凍冷却器３４、冷凍アキュムレータ５５、冷凍サクションパイプ５６および逆止弁５７が配管により順に接続されている。そして、逆止弁５７の出口側と冷蔵サクションパイプ４９の出口側が一つになって圧縮機３９の吸入側に接続されている。
【００３０】
このような冷凍サイクル４１では、冷媒が、圧縮機３９で圧縮されて、高温高圧の気体状の冷媒に変化し、蒸発パイプ４０、凝縮器４２と放熱パイプ４３と加熱パイプ５８と防露パイプ４４で放熱しながら液体状の冷媒となる。液体状の冷媒は、三方弁４６によって冷蔵キャピラリチューブ４７又は冷凍キャピラリチューブ５４に送られ、各キャピラリチューブ４７，５４で気化し易いように減圧され、その後に冷蔵冷却器３０又は冷凍冷却器３４で気化し、冷蔵冷却器３０又は冷凍冷却器３４を冷却する。冷蔵冷却器３０又は冷凍冷却器３４を冷却した冷媒は、各アキュムレータ４８、５５にそれぞれ流れ、各アキュムレータ４８、５５では気液混合体状の冷媒を気体状の冷媒と液体状の冷媒とにそれぞれ分離し、気体状の冷媒のみが各サクションパイプ４９、５６を経て圧縮機３９へ戻り、再び圧縮され高温高圧の気体状の冷媒となる。
【００３１】
冷蔵冷却器３０は冷蔵冷却器室３２内の空気と熱交換して冷気を生成する。生成された冷気は、冷蔵ファン３１の送風作用によってダクト３３を介して冷蔵室１０及び野菜室１２に導入され、これらの貯蔵室１０，１２を冷却する。冷蔵室１０及び野菜室１２を冷却し終えた冷気は、吸込口から再び冷蔵冷却器室３２に戻され冷蔵冷却器３０と熱交換して再び冷却される。
【００３２】
冷凍冷却器３４は冷凍冷却器室３６内の空気と熱交換して冷気を生成する。生成された冷気は、冷凍ファン３５の送風作用によってダクト３７を介して製氷室１５、温度切替室１６及び冷凍室１７に導入され、これらの貯蔵室１０，１２を冷却する。製氷室１５、温度切替室１６及び冷凍室１７を冷却し終えた冷気は、吸込口から再び冷凍冷却器室３６に戻され冷凍冷却器３４と熱交換して冷却される。
【００３３】
このような冷蔵庫１において、温度切替室１６は、冷凍冷却器室３６で生成された冷気が吹き出す吹出口６１の開度を変更するダンパ６２と、温度切替室１６内の空気を加熱するヒータ６０、及び第１加熱パイプ５８が設けられている。これにより、温度切替室１６は、貯蔵温度（内部温度）を複数の温度帯、例えば、−９℃〜−８℃以下の弱冷凍温度帯、−４℃〜−３℃のパーシャル温度帯、０℃〜１℃のチルド温度帯に変更可能になっている。
【００３４】
具体的には、温度切替室１６は、上面壁を構成する断熱仕切壁６と、下面壁を構成する断熱仕切壁２３と、左側壁を構成する断熱仕切壁２２と、右側壁を構成する断熱箱体２の右側壁２ａと、背面壁を構成するエバカバー５１で区画され、更に、温度切替室１６の前面が扉１８によって閉塞されている。つまり、温度切替室１６は、上下、左右、及び前後が断熱材によって区画されている。なお、温度切替室１６を区画する断熱仕切壁６、２２，２３、断熱箱体２の右側壁２ａ、エバカバー５１に設ける断熱材は、ウレタンやポリスチレン等の発泡断熱材や真空断熱材等、任意の断熱材を採用することができるが、複数種類の断熱材を併用してもよく、真空断熱材と発泡ウレタンと併用することが好ましい。
【００３５】
温度切替室１６の下面壁を構成する断熱仕切壁２３には、図２及び図４に示すように、上記した第１加熱パイプ５８とともにヒータ６０が設けられている。ヒータ６０は、断熱仕切壁２３の上側面に沿わせて設けられたアルミ箔ヒータ等のシート状のヒータからなり、通電することにより温度切替室１６内の空気を下方から加熱する。
【００３６】
なお、本実施形態では、温度切替室１６の下面壁を構成する断熱仕切壁２３に、第１加熱パイプ５８、及びヒータ６０をすべて設けたが、温度切替室１６を区画する任意の壁面に設けてもよく、また、第１加熱パイプ５８、及びヒータ６０をそれぞれ異なる壁面に設けてもよい。
【００３７】
断熱箱体２の背面上部には、冷蔵庫１の動作全般を制御する制御部２４が設けられている。制御部２４は、図５に示すように、操作パネル８、冷蔵温度センサ２５、冷凍温度センサ２６、切替室温度センサ２７などの各種センサ等から入力される信号や、ＥＥＰＲＯＭ等の不揮発性記録媒体からなるメモリ２８に記憶された制御プログラムに基づいて、冷蔵ファン３１、冷凍ファン３５、圧縮機３９、三方弁４６、ヒータ６０、第１切替弁５９、ダンパ６２などの各種電気部品を制御することで、各室を所定温度に冷却する。
【００３８】
具体的には、冷蔵温度帯の冷蔵室１０及び野菜室１２を冷却する場合には、制御部２４が、冷凍サイクル４１に設けられた三方弁４６を切り替えて冷蔵冷却器３０に冷媒が流れるようにするとともに、冷蔵ファン３１を運転させる冷蔵モードを実行する。これにより、冷蔵冷却器３０で冷却された冷蔵冷却器室３２の空気が、ダクト３３を介して冷蔵室１０及び野菜室１２に送風され、冷蔵室１０の背面に設けられた冷蔵温度センサ２５の検出温度が所定温度範囲に収まるように冷蔵室１０及び野菜室１２を冷却する。
【００３９】
製氷室１５及び冷凍室１７を冷却する場合には、制御部２４が、冷凍サイクル４１に設けられた三方弁４６を切り替えて冷媒が冷凍冷却器３４に流れるようにするとともに、冷凍ファン３５を運転させる冷凍モードを実行する。これにより、冷凍冷却器３４で冷却された空気は製氷室１５及び冷凍室１７に送風され、冷凍室１７の背面に設けられた冷凍温度センサ２６の検出温度が所定温度範囲に収まるように製氷室１５及び冷凍室１７を冷却する。
【００４０】
温度切替室１６を冷却する場合には、上記の冷凍モードの実行中にダンパ６２の開度を制御して温度切替室１６へ供給する冷気量を調整しつつ、第１切替弁５９の切替とヒータ６０の発熱量とを制御することで、温度切替室１６の背面に設けられた切替室温度センサ２７の検出温度が設定された温度帯に収まるように温度切替室１６を冷却する。
【００４１】
例えば、温度切替室１６の貯蔵温度が弱冷凍温度帯に設定されると、制御部２４は、第１加熱パイプ５８を迂回して左放熱パイプ４３Ａ及び右放熱パイプ４３Ｄに冷媒が流れるように第１切替弁５９の流路を切り替えるとともに、ヒータ６０への電力供給を遮断する。つまり、弱冷凍温度帯に温度切替室１６が設定された場合、制御部２４は、第１加熱パイプ５８やヒータ６０によって温度切替室１６を加熱することなく、温度切替室１６に導入する冷気導入量を調整することで、温度切替室１６の温度を弱冷凍温度帯に制御する。
【００４２】
温度切替室１６の貯蔵温度がパーシャル温度帯に設定されると、制御部２４は、第１加熱パイプ５８及び左放熱パイプ４３Ａに交互に冷媒が流れるように第１切替弁５９を制御するとともに、ヒータ６０への電力供給を遮断する。つまり、パーシャル温度帯に温度切替室１６が設定された場合、制御部２４は、ヒータ６０によって温度切替室１６を加熱することなく、第１加熱パイプ５８によって温度切替室１６を加熱したり、温度切替室１６に導入する冷気導入量を調整したりすることで、温度切替室１６の温度をパーシャル温度帯に制御する。また、必要に応じて冷凍モードの実行中にダンパ６２の開度を制御して温度切替室１６へ冷気を供給する。
【００４３】
温度切替室１６の貯蔵温度がチルド温度帯に設定されると、制御部２４は、第１加熱パイプ５８及び左放熱パイプ４３Ａに交互に冷媒が流れるように第１切替弁５９を制御するとともに、ヒータ６０に供給する通電量を制御する。つまり、チルド温度帯に温度切替室１６が設定された場合、制御部２４は、第１加熱パイプ５８やヒータ６０によって温度切替室１６を加熱したり、温度切替室１６に導入する冷気導入量を調整したりすることで、温度切替室１６の温度をチルド温度帯制御する。また、必要に応じて冷凍モードの実行中にダンパ６２の開度を制御して温度切替室１６へ冷気を供給する。
【００４４】
なお、温度切替室１６の貯蔵温度を制御する場合において、制御部２４は、冷凍モードの実行中以外にも必要に応じて第１切替弁５９の切替やヒータ６０の発熱量を制御して、温度切替室１６を加熱してもよい。
【００４５】
このような本実施形態の冷蔵庫１では、温度切替室１６の空気を加熱する第１加熱パイプ５８やヒータ６０が温度切替室１６を構成する壁面に設けられているため、切り替え可能な温度帯を広い温度範囲にわたって設定することができるとともに、温度切替室１６の内部温度を精度良く制御することができる。
【００４６】
また、本実施形態の冷蔵庫１では、ヒータ６０に加え第１加熱パイプ５８が温度切替室１６を加熱するため、ヒータ６０の通電量を抑えつつ温度切替室１６を加熱することができるとともに、高温側の冷媒流路を流れる冷媒を温度切替室１６の冷熱と熱交換させて冷却することができ、冷蔵庫１の電力消費量を抑えることができる。
【００４７】
また、本実施形態では、第１加熱パイプ５８に加え、温度切替室１６を加熱するヒータ６０が温度切替室１６に設けられているため、冷凍サイクル４１の運転状態に関係なく温度切替室１６を加熱することができ、設定された温度帯に制御することができる。
【００４８】
また、本実施形態では、温度切替室１６がパーシャル温度帯に設定されると、ヒータ６０を通電せず、第1加熱パイプ５８で温度切替室１６を加熱し、温度切替室１６がパーシャル温度帯より低いチルド温度帯に設定されると、第１加熱パイプ５８に加えヒータ６０によって温度切替室１６を加熱する。このように本実施形態では、ヒータ６０より第1加熱パイプ５８を優先的に利用するため、ヒータ６０の通電を極力抑えることができ、冷蔵庫１の電力消費量を抑えることができる。
【００４９】
また、本実施形態では、温度切替室１６を区画する仕切壁が断熱材を備え、温度切替室１６が庫外だけでなく隣接する貯蔵室とも断熱的に区画されているため、温度切替室１６からの熱漏洩を抑えることができ、冷蔵庫１の電力消費量を抑えることができる。
【００５０】
なお、本実施形態では、温度切替室１６に第１加熱パイプ５８に加えてヒータ６０を設けたが、温度切替室１６にヒータ６０を設けることなく第１加熱パイプ５８を設け、温度切替室１６を第１加熱パイプ５８によって加熱してもよい。
【００５１】
（第２実施形態）
第２実施形態について、主に図６を参照しながら、第１実施形態と異なる部分を中心に説明する。なお、第１実施形態と同一の構成のものについては同一の符号を付し、その構成の説明を省略する。
【００５２】
図６に示すように、本実施形態では、凝縮器４２と天井放熱パイプ４３Ｂの間に第１加熱パイプ５８と第１切替弁５９とが設けられるとともに、背板放熱パイプ４３Ｃと防露パイプ４４との間に第２加熱パイプ６３と第２切替弁６４とが設けられている。
【００５３】
第２加熱パイプ６３は、右放熱パイプ４３Ｄと並列に設けられた放熱パイプからなり、例えば、温度切替室１６の下面を構成する断熱仕切壁２３の上面側に沿わせて設けられている。
【００５４】
第２切替弁６４は、機械室３８に設けられた三方弁からなり、入口側が背板放熱パイプ４３Ｃに接続され、出口側に右放熱パイプ４３Ｄ及び第２加熱パイプ６３が接続されている。この第２切替弁６４は、背板放熱パイプ４３Ｃを流れた直後の冷媒を第２加熱パイプ６３と右放熱パイプ４３Ｄとに切り替えて流す。これにより、高温の冷媒が、第２加熱パイプ６３に流れて温度切替室１６内を加熱したり、第２加熱パイプ６３を迂回して右放熱パイプ４３Ｄに流れることで断熱箱体２の右側壁を加熱したりする。
【００５５】
つまり、この実施形態では、左放熱パイプ４３Ａが第１加熱パイプ５８を迂回する迂回パイプとして機能し、右放熱パイプ４３Ｄが第２加熱パイプ６３を迂回する迂回パイプとして機能するようになっている。
【００５６】
このような実施形態では、第１加熱パイプ５８の冷媒流れ方向下流側に第２加熱パイプ６３及び第２切替弁６４が設けられているため、第１加熱パイプ５８より低温の冷媒を第２加熱パイプ６３に流して温度切替室１６を加熱することができる。そのため、異なる温度の熱源で温度切替室１６を加熱することができ、設定された温度帯に温度切替室１６の貯蔵温度を精度よく制御することができる。
【００５７】
なお、その他の構成及び作用効果は上記した第１実施形態と同様であり、詳細な説明は省略する。
【００５８】
（第３実施形態）
第３実施形態について、第１実施形態と異なる部分を中心に説明する。
【００５９】
本実施形態では、冷蔵庫１の設置雰囲気の温度（庫外温度）を検出する庫外温度センサが、例えば、冷蔵室扉１１に設けられており、この温度センサの検出値に基づいて制御部２４が第１切替弁５９を制御する。
【００６０】
具体的には、制御部２４は、庫外温度センサの検出温度が所定温度以上であると、検出温度が所定温度未満の場合に比べて、第１加熱パイプ５８に流れる冷媒量が少なくなるように第１切替弁５９を制御する。
【００６１】
庫外温度センサの検出温度が所定温度以上であると庫外から温度切替室１６に進入する熱量が多くなり、温度切替室１６の貯蔵温度が高くなりやすい場合があるが、そのような場合に本実施形態の冷蔵庫では、第１切替弁５９を制御して第１加熱パイプ５８に流れる冷媒量を減らすため、温度切替室１６の貯蔵温度を精度よく制御することができる。
【００６２】
なお、製氷室１５や冷凍室１７は他の貯蔵室より貯蔵温度が低く庫外から熱が進入しやすい。そのため、庫外温度センサの検出温度が所定温度以上であると、冷凍モードの実行時間が長くなり冷凍冷却器３４が長時間にわたって低温状態になることがあり、温度切替室１６が冷凍冷却器３４に近接して配置されていると、冷凍冷却器３４の冷熱が温度切替室１６に進入して温度切替室１６の貯蔵温度が低くなりやすい場合がある。そこで、そのような場合であれば、庫外温度センサの検出温度が所定温度以上であると、検出温度が所定温度未満の場合に比べて、第１加熱パイプ５８に流れる冷媒量が多くなるように第１切替弁５９を制御してもよい。
【００６３】
なお、その他の構成及び作用効果は上記した第１実施形態と同様であり、詳細な説明は省略する。
【００６４】
（第４実施形態）
第４実施形態について、第１実施形態と異なる部分を中心に説明する。
【００６５】
上記した第１実施形態では、機械室３８を断熱箱体２の背面下部に設け、その中に圧縮機３９や第１切替弁５９等を収納する場合について説明したが、例えば、断熱箱体２の背面上部に圧縮機３９や第１切替弁５９を収納する機械室を設けてもよい。
【００６６】
本実施形態では、庫内において有効活用が難しい断熱箱体２の背面上部の空間を機械室とすることで、第１切替弁５８の設置スペースを機械室に確保しやすくなる。
【００６７】
なお、その他の構成及び作用効果は上記した第１実施形態と同様であり、詳細な説明は省略する。
【００６８】
（第５実施形態）
第５実施形態について、第１実施形態と異なる部分を中心に説明する。
【００６９】
上記した第１実施形態では、温度切替室１６の貯蔵温度を所定温度より高い温度帯（例えば、チルド温度帯やそれより高い温度帯）に設定する場合、貯蔵温度を所定温度以下に設定した場合に比べて圧縮機３９の運転周波数を高く設定する。
【００７０】
このような本実施形態では、温度切替室１６に設定された温度帯に応じて第１加熱パイプ５８を流れる冷媒量を制御することができ、設定された温度帯に温度切替室１６の貯蔵温度を精度よく制御することができる。
【００７１】
なお、その他の構成及び作用効果は上記した第１実施形態と同様であり、詳細な説明は省略する。
【００７２】
（他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００７３】
１…冷蔵庫、２…断熱箱体、１０…冷蔵室、１２…野菜室、１５…製氷室、１６…温度切替室、１７…冷凍室、２２…断熱仕切壁、２３…断熱仕切壁、２４…制御部、２５…冷蔵温度センサ、２６…冷凍温度センサ、２７…切替室温度センサ、３０…冷蔵冷却器、３１…冷蔵ファン、３２…冷蔵冷却器室、３４…冷凍冷却器、３５…冷凍ファン、３６…冷凍冷却器室、３８…機械室、３９…圧縮機、４０…蒸発パイプ、４１…冷凍サイクル、４２…凝縮器、４３…放熱パイプ、４３Ａ…左放熱パイプ、４３Ｂ…天井放熱パイプ、４３Ｃ…背板放熱パイプ、４３Ｄ…右放熱パイプ、４４…防露パイプ、５１…エバカバー、５８…第１加熱パイプ、５９…第１切替弁、６０…ヒータ、６１…吹出口、６２…ダンパ
【図１】
2018096662.tif 000003
【図２】
2018096662.tif 000004
【図３】
2018096662.tif 000005
【図４】
2018096662.tif 000006
【図５】
2018096662.tif 000007
【図６】
2018096662.tif 000008